(57)【要約】      （修正有）【課題】筐体の取付孔に対して容易に位置決めをすることが可能なコネクタ装置を提供する。【解決手段】コネクタ装置は、第１及び第２雄端子と、第１及び第２雄端子を保持する機器側ハウジングとを有し、筐体の取付部に設けられた取付孔に取り付けられる機器側コネクタと、第１及び第２雄端子５１，５２に接続される第１及び第２雌端子３１と、取付孔を介して機器側ハウジングに嵌合されるケーブル側ハウジングを有するケーブル側コネクタとを備え、ケーブル側ハウジングは、取付孔に嵌合する嵌合部と、嵌合部よりも機器側コネクタ側に突出して、第１及び第２雌端子３１を保持する第１及び第２端子保持部２２１ａとを有し、機器側ハウジングは、第１及び第２端子保持部２２１ａが嵌合される第１及び第２嵌合穴を有し、第１及び第２端子保持部２２１ａと第１及び第２嵌合穴との嵌合長は、取付孔と嵌合部との嵌合長よりも長い。【選択図】図９
2014154258.tif 000002
【特許請求の範囲】
【請求項１】
第１端子、及び前記第１端子を保持する第１ハウジングを有し、筐体の取付部に設けられた取付孔に取り付けられる第１コネクタと、
前記第１端子に接続される第２端子、及び前記取付孔を介して前記第１ハウジングに嵌合される第２ハウジングを有する第２コネクタとを備え、
前記第２ハウジングは、
前記取付孔に嵌合する嵌合部と、
前記嵌合部よりも前記第１コネクタ側に突出して、前記第２端子を保持する端子保持部とを有し、
前記第１ハウジングは、
前記端子保持部が嵌合される嵌合穴を有し、
前記端子保持部と前記嵌合穴との嵌合長は、前記取付孔と前記嵌合部との嵌合長よりも長い
コネクタ装置。
【請求項２】
前記第１ハウジングは、前記取付孔に嵌合されて、前記取付孔の内面との接触により前記筐体の前記取付部に位置決めされる位置決め部を有する、
請求項１に記載のコネクタ装置。
【請求項３】
前記位置決め部は、前記取付孔の内面に接触する接触面が形成された複数の突起を有する、
請求項２に記載のコネクタ装置。
【請求項４】
前記第２ハウジングは、前記取付部に形成された第２ねじ穴に挿入される第２ボルトによって前記筐体に取り付けられ、
前記第１ハウジングは、前記取付部に形成された第１ねじ穴に挿入される第１ボルトによって前記筐体に取り付けられる、
請求項１乃至３の何れか１項に記載のコネクタ装置。
【発明の詳細な説明】
【技術分野】
【０００１】
本発明は、筐体に取り付けて用いられるコネクタ装置に関する。
【背景技術】
【０００２】
従来、コネクタ装置として、電磁波を遮蔽可能な導電性金属からなる筐体を有する電気機器に接続された機器側コネクタと、筐体に設けられた取付孔を介して機器側コネクタに接続されるケーブル側コネクタとを備えたものが知られている（例えば、特許文献１参照。）。
【０００３】
特許文献１に記載のコネクタ装置において、ケーブル側コネクタは、筐体の取付孔に嵌合する嵌合部を有するハウジングを備えている。この嵌合部の内部には、複数のケーブル側端子が装着されている。また、嵌合部の外周面にはシール部材が設けられ、ハウジングと筐体の取付孔との間をシールしている。ケーブル側コネクタは、筐体の他方の開口端面に向かって直角に折り曲げられた板状の取付部によって筐体に取り付けられる。取付部には、ボルト孔が形成され、このボルト孔にボルトを挿入して筐体に締め込むことにより、ケーブル側コネクタが筐体に固定される。
【０００４】
機器側コネクタは、複数の機器側端子を収容する複数の収容部から構成される端子ホルダを有している。機器側コネクタは、端子ホルダに機器側端子の配列方向を挟むように張り出して形成された取付部によって筐体に取り付けられる。ケーブル側コネクタと同様に、取付部に形成されたボルト孔にボルトを挿入して筐体に締め込むことにより、機器側コネクタが筐体に固定されている。ケーブル側コネクタと機器側コネクタとが嵌合すると、機器側端子とケーブル側端子とが重なるように配置され、ケーブル側コネクタと機器側コネクタとが電気的に接続される。
【先行技術文献】
【特許文献】
【０００５】
【特許文献１】特開２０１２−３８５５７号公報
【発明の概要】
【発明が解決しようとする課題】
【０００６】
しかし、特許文献１に記載のものでは、ケーブル側端子を機器側端子に接続する際にケーブル側コネクタのハウジングが筐体の取付孔に対して位置ずれを起こした状態で挿入されると、取付孔の開口端面にハウジングの嵌合部が干渉して取付孔に対してハウジングがまっすぐに挿入されず、ケーブル側コネクタの位置決めがしづらい。
【０００７】
そこで、本発明の目的は、筐体の取付孔に対して容易に位置決めをすることが可能なコネクタ装置を提供することにある。
【課題を解決するための手段】
【０００８】
本発明は、上記課題を解決することを目的として、第１端子、及び前記第１端子を保持する第１ハウジングを有し、筐体の取付部に設けられた取付孔に取り付けられる第１コネクタと、前記第１端子に接続される第２端子、及び前記取付孔を介して前記第１ハウジングに嵌合される第２ハウジングを有する第２コネクタとを備え、前記第２ハウジングは、前記取付孔に嵌合する嵌合部と、前記嵌合部よりも前記第１コネクタ側に突出して、前記第２端子を保持する端子保持部とを有し、前記第１ハウジングは、前記端子保持部が嵌合される嵌合穴を有し、前記端子保持部と前記嵌合穴との嵌合長は、前記取付孔と前記嵌合部との嵌合長よりも長いコネクタ装置を提供する。
【発明の効果】
【０００９】
本発明に係るコネクタ装置によれば、筐体の取付孔に対して容易に位置決めをすることが可能である。
【図面の簡単な説明】
【００１０】
【図１】本発明の実施の形態に係るコネクタ装置及び筐体の一部を示し、（ａ）は斜視図、（ｂ）は上面図である。
【図２】ケーブル側コネクタと機器側コネクタとが筐体を介して嵌合した状態を示す、図１（ａ）のＡ−Ａ線断面図である。
【図３】ケーブル側コネクタの構成例を示す斜視図である。
【図４】ケーブル側コネクタの構成例を示す側面図である。
【図５】機器側コネクタの構成例を示し、（ａ）は筐体側から見た斜視図、（ｂ）は基板側から見た斜視図である。
【図６】筐体の構成例を示し、（ａ）はケーブル側コネクタ側から見た斜視図、（ｂ）は機器側コネクタ側から見た斜視図である。
【図７】図１（ｂ）のＢ−Ｂ線断面図である。
【図８】ケーブル側コネクタ及び機器側コネクタの嵌合途中の状態を示す、図１（ａ）のＡ−Ａ線断面図である。
【図９】ケーブル側コネクタと機器側コネクタとが筐体を介して嵌合した状態を示す、図２の一部拡大図である。
【発明を実施するための形態】
【００１１】
［実施の形態］
図１は、本発明の実施の形態に係るコネクタ装置及び筐体の一部を示し、（ａ）は斜視図、（ｂ）は上面図である。
【００１２】
（コネクタ装置１の構成）
このコネクタ装置１は、第２コネクタとしてのケーブル側コネクタ１１及び第１コネクタとしての機器側コネクタ１２から構成されている。ケーブル側コネクタ１１は筐体７の外部に配置され、機器側コネクタ１２は筐体７の内部に配置されている。筐体７には、コネクタ装置１を取り付けるための取付部７ａが設けられている。取付部７ａは、板状の壁部７０の一部と、壁部７０から筐体７の外部側（ケーブル側コネクタ１１側）に突出した凸部７１とを有している。この筐体７は、例えばモータにスイッチングされた電流を供給するインバータのケースである。
【００１３】
ケーブル側コネクタ１１は、例えば筐体７内の機器に電源を供給するための第１ケーブル６１及び第２ケーブル６２を保持する第１ケーブル保持部材２３及び第２ケーブル保持部材２４と、筐体７の凸部７１に接触するケーブル側フランジ部２１１とを含むケーブル側ハウジング２０を備えている。機器側コネクタ１２は、筐体７の壁部７０に接触する機器側フランジ部４０２を含む機器側ハウジング４０を備えている。
【００１４】
ケーブル側ハウジング２０は、筐体７の取付部７ａ（凸部７１）に形成された第２ねじ穴としてのケーブル側ねじ穴７１１に挿入される第２ボルトとしてのケーブル側ボルト１３によって筐体７に取り付けられる。ケーブル側ねじ穴７１１は、筐体７の外部側（ケーブル側コネクタ１１側）に開口を有している。
【００１５】
筐体７の取付部７ａ（壁部７０）には、第１ねじ穴としての第１機器側ねじ穴７０１及び第２機器側ねじ穴７０２が形成されている。第１機器側ねじ穴７０１及び第２機器側ねじ穴７０２は、筐体７の内部側（機器側コネクタ１２側）に開口を有している。第１機器側ねじ穴７０１には第１ボルトとしての第１機器側ボルト１４が挿入され、第２機器側ねじ穴７０２には第１ボルトとしての第２機器側ボルト１５が挿入されている。機器側ハウジング４０は、第１機器側ボルト１４及び第２機器側ボルト１５によって筐体７に取り付けられる。
【００１６】
図１（ｂ）に示すように、ケーブル側ボルト１３、第１機器側ボルト１４、及び第２機器側ボルト１５は、互いに平行であり、ケーブル側コネクタ１１及び機器側コネクタ１２の嵌合方向に平行な方向に挿入される。第１機器側ボルト１４と第２機器側ボルト１５とは同方向に挿入され、第１機器側ボルト１４及び第２機器側ボルト１５とケーブル側ボルト１３とは逆向きに挿入される。ケーブル側ねじ穴７１１、第１機器側ねじ穴７０１、及び第２機器側ねじ穴７０２は、互いにかつケーブル側コネクタ１１及び機器側コネクタ１２の嵌合方向に平行な方向に延びて形成されている。
【００１７】
（ケーブル側コネクタ１１の構成）
図２は、ケーブル側コネクタ１１と機器側コネクタ１２とが筐体７を介して嵌合した状態を示す、図１（ａ）のＡ−Ａ線断面図である。図３は、ケーブル側コネクタ１１の構成例を示す斜視図である。図４は、ケーブル側コネクタ１１の構成例を示す側面図である。
【００１８】
ケーブル側コネクタ１１は、第１雌端子３１及び第２雌端子３２と、ケーブル側ハウジング２０とを備えている。第１雌端子３１は、後述する第１雄端子５１が嵌合される直方体形状の本体部３１１と、第１ケーブル６１の導体６１０を加締める加締部３１２とを一体に有している。同様に、第２雌端子３２は、後述する第２雄端子５２が嵌合される直方体形状の本体部３２１と、第２ケーブル６２の導体６２０を加締める加締部３２２とを一体に有している。
【００１９】
ケーブル側ハウジング２０は、シール部材２６を保持するシール保持部材２１と、第１雌端子３１及び第２雌端子３２を収容する端子収容部材２２と、第１ケーブル保持部材２３と、第２ケーブル保持部材２４とが互いに連結されて構成されている。
【００２０】
シール保持部材２１は、アルミニウム等の金属からなり、筐体７の取付部７ａに設けられた取付孔７１０に嵌合される本体部２１０と、ケーブル側フランジ部２１１とを一体に有している。本体部２１０の一端には保持溝２１０ａが形成され、この保持溝２１０ａに環状のシール部材２６が配置されている。シール部材２６は、本体部２１０と筐体７の取付孔７１０の内面７１０ａとの間をシールする。
【００２１】
ケーブル側フランジ部２１１は、筐体７の取付孔７１０の開口端面７１０ｂに面接触する平面状の接触面２１１ａを有している。図３及び図４に示すように、ケーブル側フランジ部２１１には、ケーブル側コネクタ１１を取付孔７１０に固定するためのケーブル側ボルト１３を挿通させるケーブル側挿通孔１３０が形成されている。なお、ケーブル側コネクタ１１の出荷時にケーブル側ボルト１３を予め仮保持しておくことにより、組み付け作業が容易になる。図３に示すように、ケーブル側フランジ部２１１は、その外縁が丸みを帯びた五角形状を有している。
【００２２】
端子収容部材２２は、樹脂からなり、第１雌端子３１を保持する第１端子保持部２２１ａと、第２雌端子３２を保持する第２端子保持部２２１ｂと、シール保持部材２１に内嵌された基部２２３と、基部２２３から外方に向けて突出する鍔部２２２とを一体に有している。第１端子保持部２２１ａ及び第２端子保持部２２１ｂは、基部２２３において連結されている。鍔部２２２は、第１端子保持部２２１ａ及び第２端子保持部２２１ｂと基部２２３との間に配置され、筐体７の取付孔７１０の内面７１０ａに向かって突出して外周面が内面７１０ａに接触している。
【００２３】
本実施の形態では、図４に示すように、筐体７の取付孔７１０に嵌合する嵌合部２は、シール保持部材２１の本体部２１０と端子収容部材２２の鍔部２２２とから構成されている。第１端子保持部２２１ａ及び第２端子保持部２２１ｂにおけるケーブル側コネクタ１１及び機器側コネクタ１２の嵌合方向の長さをＬ１とし、嵌合部２（本体部２１０及び鍔部２２２）におけるケーブル側コネクタ１１及び機器側コネクタ１２の嵌合方向の長さをＬ２とした場合、Ｌ１はＬ２よりも長く形成されている（Ｌ１＞Ｌ２）。
【００２４】
第１ケーブル保持部材は、アルミニウム等の金属からなる筒状の部材であり、その軸方向における第１雌端子３１側の端部である基端部２３１がシール保持部材２１に圧入により連結されている。第１ケーブル保持部材２３には、第１ケーブル６１を挿通させ、第１ケーブル６１の延伸方向に延びる第１挿通孔２３０が形成されている。
【００２５】
第１ケーブル６１は、導体６１０と、導体６１０を被覆する絶縁被覆６１１と、絶縁被覆６１１の外周に形成された編組シールド６１２と、編組シールド６１２を絶縁するシース６１３とからなる。編組シールド６１２は、その端部がシース６１３から露出して第１雌端子３１の反対側に折り返され、シース６１３の外側にてフェルール２３３によって加締められている。
【００２６】
第１ケーブル保持部材２３の先端部２３２（第１雌端子３１の反対側の端部）における第１挿通孔２３０の内部には、パッキン２５３が設けられ、第１ケーブル６１と第１ケーブル保持部材２３との間がシールされている。さらに、第１挿通孔２３０から導出された第１ケーブル６１の外面及び第１ケーブル保持部材２３の先端部２３２の外面は、熱収縮性を有するチューブ２５１によって覆われている。
【００２７】
同様に、第２ケーブル保持部材２４は、アルミニウム等の金属からなる筒状の部材であり、その軸方向における第２雌端子３２側の端部である基端部２４１がシール保持部材２１に圧入により連結されている。第２ケーブル保持部材２４には、第２ケーブル６２を挿通させ、第２ケーブル６２の延伸方向に延びる第２挿通孔２４０が形成されている。
【００２８】
第２ケーブル６２は、第１ケーブル６１と同様に、導体６２０と、導体６２０を被覆する絶縁被覆６２１と、絶縁被覆６２１の外周に形成された編組シールド６２２と、編組シールド６２２を絶縁するシース６２３とからなる。編組シールド６２２は、その端部がシース６２３から露出して第２雌端子３２の反対側に折り返され、シース６２３の外側にてフェルール２４３によって加締められている。
【００２９】
第２ケーブル保持部材２４の先端部２４２（第２雌端子３２の反対側の端部）における第２挿通孔２４０の内部には、パッキン２５４が設けられ、第２ケーブル６２と第２ケーブル保持部材２４との間がシールされている。さらに、第２挿通孔２４０から導出された第２ケーブル６２の外面及び第２ケーブル保持部材２４の先端部２４２の外面は、熱収縮性を有するチューブ２５２によって覆われている。
【００３０】
（機器側コネクタ１２の構成）
機器側コネクタ１２は、図２に示すように、第１雄端子５１及び第２雄端子５２と、ケーブル側ハウジング２０の第１端子保持部２２１ａ及び第２端子保持部２２１ｂが嵌合される第１嵌合穴４１及び第２嵌合穴４２を有する機器側ハウジング４０とを備えている。
【００３１】
第１雄端子５１は、第１雌端子３１の本体部３１１に嵌合される板状の接続部５１１と、機器側の基板８に接続されるリード部５１３と、接続部５１１及びリード部５１３を連結する連結部５１２とを一体に有している。同様に、第２雌端子３２の本体部３２１に嵌合される板状の接続部５２１と、基板８に接続されるリード部５２３と、接続部５２１及びリード部５２３を連結する連結部５２２とを一体に有している。
【００３２】
図５は、機器側コネクタ１２の構成例を示し、（ａ）は筐体７側から見た斜視図、（ｂ）は基板８側から見た斜視図である。
【００３３】
機器側ハウジング４０は、第１雄端子５１の接続部５１１及び第２雄端子５２の接続部５２１を収容する本体部４００と、第１雄端子５１の連結部５１２を収容する第１筒部４０１ａと、第２雄端子５２の連結部５２２を収容する第２筒部４０１ｂと、本体部４００から外方に向けて張り出して形成された機器側フランジ部４０２とを一体に有している。
【００３４】
機器側フランジ部４０２は、取付孔７１０の開口端面７１０ｃ（筐体７の壁部７０側）に面接触する平面状の接触面４０２ａが形成されている。機器側フランジ部４０２には、機器側コネクタ１２を取付孔７１０に固定するための第１機器側ボルト１４を挿通させる第１機器側挿通孔１４０、及び第２機器側ボルト１５を挿通させる第２機器側挿通孔１５０が形成されている。
【００３５】
図５（ａ）に示すように、第１機器側挿通孔１４０の内周には、金属製のカラー１４０ａが設けられ、第２機器側挿通孔１５０の内周には、金属製のカラー１５０ａが設けられている。このカラー１４０ａ，１５０ａと、第１雄端子５１及び第２雄端子５２とは、例えばインサート成形により形成されている。なお、機器側コネクタ１２の出荷時に第１機器側ボルト１４及び第２機器側ボルト１５を予め仮保持しておくことにより、組み付け作業が容易になる。
【００３６】
機器側ハウジング４０には、ケーブル側ハウジング２０の第１端子保持部２２１ａ及び第２端子保持部２２１ｂが嵌合される第１嵌合穴４１及び第２嵌合穴４２が、本体部４００及び機器側フランジ部４０２に亘って連続して形成されている。第１嵌合穴４１の機器側フランジ部４０２における開口４１ａは、四隅が丸みを帯びた長方形状に形成されている。同様に、第２嵌合穴４２の機器側フランジ部４０２における開口４２ａは、四隅が丸みを帯びた長方形状に形成されている。
【００３７】
機器側フランジ部４０２は、その外縁が、円弧Ｃ１，Ｃ２、斜辺Ｃ３，Ｃ７、一対の対辺Ｃ４，Ｃ６、底辺Ｃ５によって構成されている。より具体的には、一対の対辺Ｃ４，Ｃ６は互いに平行であり、第１嵌合穴４１の開口４１ａ及び第２嵌合穴４２の開口４２ａをその並び方向に挟んで対向している。底辺Ｃ５は、第１嵌合穴４１の開口４１ａ及び第２嵌合穴４２の開口４２ａの並び方向に平行であり、一対の対辺Ｃ４，Ｃ６に向かって円弧状に延びている。斜辺Ｃ３は、対辺Ｃ４の一端から第１機器側挿通孔１４０に向かって斜めに延びている。斜辺Ｃ７は、対辺Ｃ６の一端から第２機器側挿通孔１５０に向かって斜めに延びている。円弧Ｃ１は、斜辺Ｃ７の他端から第２機器側挿通孔１５０の外周に沿うように円弧を描いている。円弧Ｃ２は、斜辺Ｃ３の他端から第１機器側挿通孔１４０の外周に沿うように円弧Ｃ１から連続して円弧を描いている。
【００３８】
また、機器側ハウジング４０は、筐体７の取付孔７１０に嵌合されて、取付孔７１０の内面７１０ａとの接触により筐体７の取付部７ａ（壁部７０）に位置決めされる位置決め部４３を有している。位置決め部４３は、本体部４００における第１嵌合穴４１の開口４１ａ及び第２嵌合穴４２の開口４２ａ側の端面４００ａから筐体７の壁部７０側に向かって突出するように形成されている。
【００３９】
位置決め部４３は、第１嵌合穴４１の開口４１ａ及び第２嵌合穴４２の開口４２ａの外縁を囲むようにして形成された基部４３１と、基部４３１から外方に向けて突出した複数の突起４３２とを一体に有している。複数の突起４３２には、取付孔７１０の内面７１０ａに接触する接触面４３２ａが形成されている。
【００４０】
本実施の形態では、図５（ａ）に示すように、複数の突起４３２は、８つの突起４３２が第１嵌合穴４１及び第２嵌合穴４２の並び方向に沿って開口４１ａ，４２ａを挟むように上下に４つずつ配置され、２つの突起４３２が第１嵌合穴４１及び第２嵌合穴４２の並び方向に開口４１ａ，４２ａを挟んで左右に１つずつ配置されている。第１機器側挿通孔１４０及び第２機器側挿通孔１５０は、図５（ａ）において、位置決め部４３の上側に形成されている。
【００４１】
（筐体７の構成）
図６は、筐体７の構成例を示し、（ａ）はケーブル側コネクタ１１側から見た斜視図、（ｂ）は機器側コネクタ１２側から見た斜視図である。
【００４２】
筐体７は、ケーブル側コネクタ１１及び機器側コネクタ１２が取り付けられる取付部７ａを有しており、ケーブル側コネクタ１１は取付部７ａの凸部７１に、機器側コネクタ１２は取付部７ａの壁部７０に取り付けられる。凸部７１は、図６（ａ）に示すように、壁部７０から筐体７の外部側に突出し、その厚み（ケーブル側コネクタ１１及び機器側コネクタ１２の嵌合方向の寸法）が壁部７０の厚みよりも厚く形成されている。
【００４３】
取付部７ａは、壁部７０及び凸部７１に亘って連続して形成された取付孔７１０を有している。取付部７ａには、壁部７０側の開口端面７１０ｃに開口７０１ａを有する第１機器側ねじ穴７０１、開口端面７１０ｃに開口７０２ａを有する第２機器側ねじ穴７０２、及び凸部７１側の開口端面７１０ｂに開口７１１ａを有するケーブル側ねじ穴７１１が形成されている。
【００４４】
本実施の形態では、第１機器側ねじ穴７０１、第２機器側ねじ穴７０２、及びケーブル側ねじ穴７１１は、図６（ａ）及び（ｂ）において、取付孔７１０の上側に形成されている。
【００４５】
（コネクタ装置１の筐体７への取り付け）
次に、コネクタ装置１を筐体７に取り付ける際の取り付け過程について、図７乃至図９を参照して説明する。図７は、図１（ｂ）のＢ−Ｂ線断面図である。図８は、ケーブル側コネクタ１１及び機器側コネクタ１２の嵌合途中の状態を示す、図１（ａ）のＡ−Ａ線断面図である。図９は、ケーブル側コネクタ１１と機器側コネクタ１２とが筐体７を介して嵌合した状態を示す、図２の一部拡大図である。
【００４６】
まず、筐体７の内部に配置される機器側ハウジング４０を筐体７の取付孔７１０に挿入する。このとき、図７に示すように、位置決め部４３の複数の突起４３２に形成された接触面４３２ａが取付孔７１０の内面７１０ａに接触することにより、機器側ハウジング４０が取付孔７１０に対して正確に位置決めされる。これにより、機器側ハウジング４０に形成された第１機器側挿通孔１４０と筐体７の壁部７０に形成された第１機器側ねじ穴７０１とが合致する。同様に、機器側ハウジング４０に形成された第２機器側挿通孔１５０と筐体７の壁部７０に形成された第２機器側ねじ穴７０２とが合致する。
【００４７】
次に、第１機器側挿通孔１４０に組み付けられた第１機器側ボルト１４を第１機器側ねじ穴７０１に挿入して締め付ける。同様に、第２機器側挿通孔１５０に組み付けられた第２機器側ボルト１５を第２機器側ねじ穴７０２に挿入して締め付ける。これにより、機器側コネクタ１２が筐体７に固定される。
【００４８】
次に、筐体７の外部からケーブル側ハウジング２０を筐体７の取付孔７１０に挿入する。このとき、図８に示すように、ケーブル側ハウジング２０の第１端子保持部２２１ａ及び第２端子保持部２２１ｂが、それぞれの先端部から機器側ハウジング４０の第１嵌合穴４１及び第２嵌合穴４２に挿入される。
【００４９】
続いて、ケーブル側ハウジング２０の鍔部２２２、シール保持部材２１の順に取付孔７１０に挿入され、ケーブル側フランジ部２１１の接触面２１１ａが取付孔７１０の開口端面７１０ｂに突き当たる。これにより、ケーブル側ハウジング２０は、機器側ハウジング４０及び取付孔７１０に対して正確に位置決めされ、ケーブル側ハウジング２０に形成されたケーブル側挿通孔１３０と筐体７の凸部７１に形成されたケーブル側ねじ穴７１１とが合致する。
【００５０】
図９に示すように、ケーブル側ハウジング２０及び機器側ハウジング４０の嵌合状態において、第１端子保持部２２１ａと第１嵌合穴４１との嵌合長及び第２端子保持部２２１ｂと第２嵌合穴４２との嵌合長Ｌ３は、取付孔７１０とケーブル側ハウジング２０の嵌合部２（図４参照）との嵌合長Ｌ４よりも長い（Ｌ３＞Ｌ４）。
【００５１】
本実施の形態では、第１端子保持部２２１ａ及び第２端子保持部２２１ｂにおけるケーブル側コネクタ１１及び機器側コネクタ１２の嵌合方向の長さＬ１（図４参照）と、第１端子保持部２２１ａと第１嵌合穴４１との嵌合長及び第２端子保持部２２１ｂと第２嵌合穴４２との嵌合長Ｌ３とは、同じ長さである（Ｌ１＝Ｌ３）。また、嵌合部２（本体部２１０及び鍔部２２２）におけるケーブル側コネクタ１１及び機器側コネクタ１２の嵌合方向の長さＬ２（図４参照）と、取付孔７１０とケーブル側ハウジング２０の嵌合部２との嵌合長Ｌ４とは、同じ長さである（Ｌ２＝Ｌ４）。
【００５２】
最後に、ケーブル側挿通孔１３０に組み付けられたケーブル側ボルト１３をケーブル側ねじ穴７１１に挿入して締め付ける。以上の手順により、コネクタ装置１は、筐体７の取付部７ａに取り付けられ、確実に固定される。
【００５３】
（実施の形態の作用及び効果）
以上説明した実施の形態によれば、以下のような作用及び効果が得られる。
【００５４】
（１）コネクタ装置１は、ケーブル側ハウジング２０の第１端子保持部２２１ａと機器側ハウジング４０の第１嵌合穴４１との嵌合長、及びケーブル側ハウジング２０の第２端子保持部２２１ｂと機器側ハウジング４０第２嵌合穴４２との嵌合長Ｌ３が、取付孔７１０とケーブル側ハウジング２０の嵌合部２（本体部２１０及び鍔部２２２）との嵌合長Ｌ４よりも長い。これにより、取付孔７１０とケーブル側ハウジング２０の嵌合部２とが嵌合する前に、ケーブル側ハウジング２０の第１端子保持部２２１ａ及び第２端子保持部２２１ｂが機器側ハウジング４０の第１嵌合穴４１及び第２嵌合穴４２に嵌合するので、ケーブル側ハウジング２０を筐体７の取付孔７１０に挿入する際、第１端子保持部２２１ａ及び第２端子保持部２２１ｂの先端が機器側ハウジング４０の第１嵌合穴４１及び第２嵌合穴４２内に誘い込まれる。したがって、ケーブル側ハウジング２０の鍔部２２２が取付孔７１０の開口端面７１０ｂに到達するときには、ケーブル側ハウジング２０は筐体７の取付孔７１０に対して位置決めがされている。以上より、ケーブル側コネクタ１１の筐体７に対する位置決めが容易にできる。
【００５５】
（２）機器側ハウジング４０は、筐体７の取付孔７１０に嵌合されて、取付孔７１０の内面７１０ａと接触する接触面４３２ａが形成された位置決め部４３により、筐体７の取付部７ａに対して正確に位置決めをすることが可能である。
【００５６】
（３）位置決め部４３には、複数の突起４３２が設けられ、この突起４３２に接触面４３２ａが形成されている。これにより、成型時において溶融樹脂が冷えて固化する際の熱収縮から発生するボイドやヒケ等を抑制することができ、接触面４３２ａを適切に取付孔７１０の内面７１０ａに接触させることができる。
【００５７】
（４）ケーブル側ハウジング２０はケーブル側ボルト１３によって筐体７の取付部７ａ（凸部７１）にボルト締めされ、機器側ハウジング４０は第１機器側ボルト１４及び第２機器側ボルト１５によって筐体７の取付部７ａ（壁部７０）にボルト締めされている。すなわち、ケーブル側ハウジング２０及び機器側ハウジング４０は、それぞれが筐体７の取付部７ａにボルト締めされているため、コネクタ装置１の筐体７への取り付けが確実となる。
【００５８】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００５９】
［１］第１端子（第１雄端子５１及び第２雄端子５２）、及び前記第１端子（第１雄端子５１及び第２雄端子５２）を保持する第１ハウジング（機器側ハウジング４０）を有し、筐体（７）の取付部（７ａ）に設けられた取付孔（７１０）に取り付けられる第１コネクタ（機器側コネクタ１２）と、前記第１端子（第１雄端子５１及び第２雄端子５２）に接続される第２端子（第１雌端子３１及び第２雌端子３２）、及び前記取付孔（７１０）を介して前記第１ハウジング（機器側ハウジング４０）に嵌合される第２ハウジング（ケーブル側ハウジング２０）を有する第２コネクタ（ケーブル側コネクタ１１）とを備え、前記第２ハウジング（ケーブル側ハウジング２０）は、前記取付孔（７１０）に嵌合する嵌合部（２）と、前記嵌合部（２）よりも前記第１コネクタ（機器側コネクタ１２）側に突出して、前記第２端子（第１雌端子３１及び第２雌端子３２）を保持する端子保持部（第１端子保持部２２１ａ及び第２端子保持部２２１ｂ）とを有し、前記第１ハウジング（機器側ハウジング４０）は、前記端子保持部（第１端子保持部２２１ａ及び第２端子保持部２２１ｂ）が嵌合される嵌合穴（第１嵌合穴４１及び第２嵌合穴４２）を有し、前記端子保持部（第１端子保持部２２１ａ及び第２端子保持部２２１ｂ）と前記嵌合穴（第１嵌合穴４１及び第２嵌合穴４２）との嵌合長は、前記取付孔（７１０）と前記嵌合部（２）との嵌合長よりも長いコネクタ装置（１）。
【００６０】
［２］前記第１ハウジング（機器側ハウジング４０）は、前記取付孔（７１０）に嵌合されて、前記取付孔（７１０）の内面（７１０ａ）との接触により前記筐体（７）の前記取付部（７ａ）に位置決めされる位置決め部（４３）を有する、［１］に記載のコネクタ装置（１）。
【００６１】
［３］前記位置決め部（４３）は、前記取付孔（７１０）の内面（７１０ａ）に接触する接触面（４３２ａ）が形成された複数の突起（４３２）を有する、［２］に記載のコネクタ装置（１）。
【００６２】
［４］前記第２ハウジング（ケーブル側ハウジング２０）は、前記取付部（７ａ）に形成された第２ねじ穴（ケーブル側ねじ穴７１１）に挿入される第２ボルト（ケーブル側ボルト１３）によって前記筐体（７）に取り付けられ、前記第１ハウジング（機器側ハウジング４０）は、前記取付部（７ａ）に形成された第１ねじ穴（第１機器側ねじ穴７０１及び第２機器側ねじ穴７０２）に挿入される第１ボルト（第１機器側ボルト１４及び第２機器側ボルト１５）によって前記筐体（７）に取り付けられる、［１］乃至［３］の何れか１項に記載のコネクタ装置（１）。
【００６３】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６４】
本発明は、その趣旨を逸脱しない範囲で適宜変形して実施することが可能である。例えば、上記実施の形態では、第１ケーブル６１及び第２ケーブル６２を備えていたが、これに限らず、ケーブルの本数に特に制限はない。
【００６５】
また、上記実施の形態では、ケーブル側ハウジング２０のケーブル側フランジ部２１１の外縁は、丸みを帯びた五角形状を有していたが、これに限らず、例えば筐体７の取付孔７１０の開口端面７１０ｂと同様の形状に形成されていてもよい。同様に、機器側ハウジング４０の機器側フランジ部４０２の外縁の形状についても特に制限はなく、例えば矩形状でもよい。
【００６６】
また、上記実施の形態では、凸部７１は、その厚み（ケーブル側コネクタ１１及び機器側コネクタ１２の嵌合方向の寸法）が壁部７０の厚みよりも厚く形成されていたが、これに限らず、例えば壁部７０が肉厚に形成されていてもよい。
【００６７】
また、上記実施の形態では、ケーブル側コネクタ１１は１本のケーブル側ボルト１３で固定され、機器側コネクタ１２は第１機器側ボルト１４及び第２機器側ボルト１５で固定されていたが、これに限らず、固定するボルトの数に特に制限はない。
【００６８】
また、上記実施の形態では、コネクタ装置１は、ボルト締めによって筐体７に固定されていたが、これに限らず、例えば係止機構等により固定されていてもよい。
【００６９】
また、上記実施の形態では、位置決め部４３の複数の突起４３２は、８つの突起４３２が第１嵌合穴４１及び第２嵌合穴４２の並び方向に沿って開口４１ａ，４２ａを挟むように上下に４つずつ配置され、２つの突起４３２が第１嵌合穴４１及び第２嵌合穴４２の並び方向に開口４１ａ，４２ａを挟んで左右に１つずつ配置されていたが、これに限らず、複数の突起４３２の数及び配置位置に特に制限はない。
【符号の説明】
【００７０】
１…コネクタ装置、２…嵌合部、７…筐体、７ａ…取付部、８…基板、１１…ケーブル側コネクタ（第２コネクタ）、１２…機器側コネクタ（第１コネクタ）、１３…ケーブル側ボルト（第２ボルト）、１４…第１機器側ボルト（第１ボルト）、１５…第２機器側ボルト（第１ボルト）、２０…ケーブル側ハウジング（第１ハウジング）、２１…シール保持部材、２２…端子収容部材、２３…第１ケーブル保持部材、２４…第２ケーブル保持部材、２６…シール部材、３１…第１雌端子（第２端子）、３２…第２雌端子（第２端子）、４０…機器側ハウジング（第２ハウジング）、４１…第１嵌合穴、４２…第２嵌合穴、４１ａ，４２ａ…開口、４３…位置決め部、５１…第１雄端子（第１端子）、５２…第２雄端子（第１端子）、６１…第１ケーブル、６２…第２ケーブル、７０…壁部、７１…凸部、１３０…ケーブル側挿通孔、１４０…第１機器側挿通孔、１５０…第２機器側挿通孔、１４０ａ，１５０ａ…カラー、２１０…本体部、２１０ａ…保持溝、２１１…ケーブル側フランジ部、２１１ａ…接触面、２２１ａ…第１端子保持部、２２１ｂ…第２端子保持部、２２２…鍔部、２２３…基部、２３０…第１挿通孔、２４０…第２挿通孔、２３１，２４１…基端部、２３２，２４２…先端部、２３３，２４３…フェルール、２５１，２５２…チューブ、２５３，２５４…パッキン、３１１，３２１…本体部、３１２，３２２…加締部、４００…本体部、４００ａ…端面、４０１ａ…第１筒部、４０１ｂ…第２筒部、４０２…機器側フランジ部、４０２ａ…接触面、４３１…基部、４３２…突起、４３２ａ…接触面、５１１，５２１…接続部、５１２，５２２…連結部、５１３，５２３…リード部、６１０，６２０…導体、６１１，６２１…絶縁被覆、６１２，６２２…編組シールド、６１３，６２３…シース、７０１…第１機器側ねじ穴（第１ねじ穴）、７０１ａ…開口、７０２…第２機器側ねじ穴（第１ねじ穴）、７０２ａ…開口、７１０…取付孔、７１０ａ…内面、７１０ｂ，７１０ｃ…開口端面、７１１…ケーブル側ねじ穴（第２ねじ穴）、７１１ａ…開口、Ｃ１，Ｃ２…円弧、Ｃ３，Ｃ７…斜辺、Ｃ４，Ｃ６…対辺、Ｃ５…底辺、Ｌ３，Ｌ４…嵌合長
【図１】
2014154258.tif 000003
【図２】
2014154258.tif 000004
【図３】
2014154258.tif 000005
【図４】
2014154258.tif 000006
【図５】
2014154258.tif 000007
【図６】
2014154258.tif 000008
【図７】
2014154258.tif 000009
【図８】
2014154258.tif 000010
【図９】
2014154258.tif 000011